(57)【要約】【課題】畳表の縁部を裁断する際に、畳表自体を適切に保持し、他の補助具や下敷き用台等を必要としないこと。【解決手段】本体部１０とカッター部３０とから成る畳表縁部切断具である。本体部は畳表の縁部を表裏から挟持できる上挟持部１１と下挟持部１２を有す。両挟持部にはそれぞれ上下のフレーム部１３、１４を設け、両フレーム部は適宜位置Ｐで回動自在に取り付けられる。両フレーム部には対応位置に上握り部１５と下握り部１６を設ける。カッター部は把持部３２とスライド部３３と刃部３１とからなり、スライド部は本体部の上挟持部上を前後方向に摺動する。これにより上下挟持部によって畳表の縁部を挟持してカッター部を前方又は後方に移動させることにより畳表の縁部が切断される。【選択図】図１
2006088312.tif 000002
【特許請求の範囲】
【請求項１】
本体部（１０）とカッター部（３０）とから成り、
本体部（１０）は、畳表の縁部を表裏から挟持できる直線状の上挟持部（１１）と下挟持部（１２）を有し、上挟持部（１１）及び下挟持部（１２）にはそれぞれ上フレーム部（１３）と下フレーム部（１４）を設け、上フレーム部（１３）と下フレーム部（１４）は適宜位置（Ｐ）（Ｐ）で相互に回動自在に取り付けられ、上フレーム部（１３）と下フレーム部（１４）のそれぞれの対応位置に上握り部（１５）と下握り部（１６）を設け、これら上下の握り部（１５）（１６）を手によって握ることにより上挟持部（１１）と下挟持部（１２）が畳表の縁部を挟持でき、
他方、カッター部（３０）は把持部（３２）とスライド部（３３）と刃部（３１）とからなり、スライド部（３３）は前記本体部（１０）の上挟持部（１１）に適合し且つ上挟持部（１１）に沿って前後方向に摺動することができ、これによりカッター部（３０）の下部から下方に向かって延長する刃部（３１）が上下挟持部（１１）（１２）の側面に沿って前後に移行することができ、
これにより上下挟持部（１１）（１２）によって畳表の縁部を挟持してカッター部（３０）を前方又は後方に移動させることにより畳表の縁部を切断することができる畳表縁部切断具。
【請求項２】
請求項１において、下挟持部（１２）から遠ざかり又は近づく方向に往復移動できる横断面直角形状のアングル材からなる当接部（２０）を設け、この当接部（２０）が畳表の下に位置する畳床の縁部上面と端面に当接することができ、畳床から所定距離離隔した部位で畳床の縁部と平行に畳表縁部を切断できることを特徴とする畳表縁部切断具。
【請求項３】
請求項１又は２において、カッター部（３０）の刃部（３１）のブレード（３１ａ）をカッター部（３０）の移行方向の前方に位置させ且つブレード（３１ａ）をスライド部（３０）のスライド面前方と鋭角を成すように構成し、カッター部（３０）を手前側から前方方向に移行させて畳表縁部を切断するようにしたことを特徴とする畳表縁部切断具。
【発明の詳細な説明】
【技術分野】
【０００１】  本発明は、畳表を畳床に縫着する前段階で、畳表を畳床の寸法に適合するように裁断する際に使用する畳表の側縁部を切断するための畳表縁部切断具に関するものである。
【背景技術】
【０００２】  従来のこの種の切断具としては、下記の実開平６−１５９９１号公報に記載のものがあり、この発明は、畳表用切断定規に係り、長尺状の定規本体上をスライダが摺動し、このスライダにカッタを設けたもので、この定規本体に位置を固定するための位置固定用の位置止め針を設けたものである。
【特許文献１】特開平６−１５９９１号公報
【発明の開示】
【発明が解決しようとする課題】
【０００３】  上記従来の切断具においては、位置止め針により定規本体を固定するため、畳床等の位置止め針を固定するための下敷きとなる土台の存在が必要となる。
また、畳表の側縁部を裁断する際に、縁なし畳の場合には、畳表は、畳床の側縁部から数センチ外側で裁断する必要があるが、その際、上記従来の切断定規では畳床の外側で裁断するため、位置止め針を固定するための畳床が存在しない状態となり、適切に裁断することができない。【０００４】  そこで本発明では、畳表の側縁部等を裁断するに際し、畳表自体を適切に固定、保持して裁断することが可能で、裁断するに当たり他の補助具や裁断のための土台を必要としない裁断具の提供を第１の課題とする。
また、畳床の側縁部から一定の距離だけ離隔した位置で畳表を裁断できるものを提供することも本発明の第２の課題である。
更に、畳表を裁断するに当たり、より良好に畳表の裁断ができるカッター部の構成を提供することもその第３の課題とする。
【課題を解決するための手段】
【０００５】  上記課題を解決するために、本発明の第１のものは、本体部とカッター部とから成り、本体部は、畳表の縁部を表裏から挟持できる直線状の上挟持部と下挟持部を有し、上挟持部及び下挟持部にはそれぞれ上フレーム部と下フレーム部を設け、上フレーム部と下フレーム部は適宜位置で相互に回動自在に取り付けられ、上フレーム部と下フレーム部のそれぞれの対応位置に上握り部と下握り部を設け、これら上下の握り部を手によって握ることにより上挟持部と下挟持部が畳表の縁部を挟持でき、他方、カッター部は把持部とスライド部と刃部とからなり、スライド部は前記本体部の上挟持部に適合し且つ上挟持部に沿って前後方向に摺動することができ、これによりカッター部の下部から下方に向かって延長する刃部が上下挟持部の側面に沿って前後に移行することができ、これにより上下挟持部によって畳表の縁部を挟持してカッター部を前方又は後方に移動させることにより畳表の縁部を切断することができる畳表縁部切断具である。【０００６】  本発明の第２のものは、上記第１の発明において、下挟持部から遠ざかり又は近づく方向に往復移動できる横断面直角形状のアングル材からなる当接部を設け、この当接部が畳表の下に位置する畳床の縁部上面と端面に当接することができ、畳床から所定距離離隔した部位で畳床の縁部と平行に畳表縁部を切断できることを特徴とする畳表縁部切断具である。【０００７】  本発明の第３のものは、上記第１又は２の発明において、カッター部の刃部のブレードをカッター部の移行方向の前方に位置させ且つブレードをスライド部のスライド面前方と鋭角を成すように構成し、カッター部を手前側から前方方向に移行させて畳表縁部を切断するようにしたことを特徴とする畳表縁部切断具である。
ここで、「ブレードをスライド部のスライド面前方と鋭角を成す」とは、ブレードの先端縁を含む線と、スライド面前方（ブレードの先端縁に対向する側のスライド面）の面との成す角度を９０度未満とすることを意味する。
【発明の効果】
【０００８】  本発明の第１のものにおいては、本体部の上挟持部と下挟持部とが畳表の縁部を上下から挟持でき、しかもこの本体部は、上下の握り部を片方の手で握り、保持できるため、例えば、右利きの人であれば左手１本でこの本体部を保持して、畳表縁部を挟持でき、それ故、特に下敷きとなる土台等を必要としない。
更に、上記のように畳表の縁部を挟持した状態で、他方の手で（右利きの人であれば右手で）カッター部の把持部を握って、カッター部を上挟持部に沿って、使用者から見て前方に又は手前方向に摺動させることによって簡単に畳表の縁部を切り落とすことが出来る。
従って、本発明に係る切断具においては、所望の位置で畳表の縁部等を挟持して直線状に切断することが簡単にできることとなる。【０００９】  本発明の第２のものにおいては、当接部を下挟持部に設けているため、例えば、縁なし畳を製作する場合、畳床に畳表を配置して畳床の側縁部から一定距離離隔した位置で畳表を裁断する際に、かかる当接部を予め下挟持部から一定距離離隔した位置に固定しておき、当接部を畳床の端面とその上面に当接させた状態で畳表の縁部を上下の挟持部で把持してカッター部によって切断することにより畳床の側縁から一定距離離隔した位置で畳表の縁部を容易に裁断することができる。【００１０】  本発明の第３のものにおいては、カッター部の刃部のブレードをカッター部の移行方向の前方に位置させ、ブレードをスライド部のスライド面前方と鋭角を成すように構成して、カッター部を使用者の手前側から前方方向に移行させて畳表を切断するようにしているため、丁度はさみを開いて上下から挟んだ状態（せん断状態）で、ブレードを移行させて行くため、従来の定規を当ててカッターで切断する（この場合、ブレードと切断方向とが鈍角（９０度以上）を成す）のと異なり、極めて良好に畳表が切断されるのである。
即ち、従来の場合はブレード先端を構成する線と切断方向前方との成す角度が鈍角となっていたため、切断された畳表縁部が下方に垂れ下がり、切断線が定規の側縁部にきっちりと沿わずに側縁部から遠ざかる方向に曲がってしまうという欠点があったが、本発明ではこの欠点を排除することができた。【００１１】  本発明において、カッター部を使用者の手前側から前方方向に移行させることによってこの効果を実現したが、当然のこととして、使用者の前方方向から手前側にカッター部を引き寄せるようにして畳表を切断する場合にも、この構成（ブレードとスライド面前方との角度を鋭角にする構成）を採用することが出来る。この場合には、刃部のブレードを使用者の手前側に向けるようにカッター部を構成すればよい。
【発明を実施するための最良の形態】
【００１２】  以下、添付の図面と共に実施の形態について説明する。
図１は、本発明の一実施形態を図示する全体斜視図であり、まず本発明の概略をこの図によって説明する。
本発明に係る畳表縁部切断具は、本体部１０とカッター部３０とからなる。
本体部１０は、上挟持部１１と下挟持部１２を有し、これら上下の挟持部１１、１２は、それぞれ上フレーム部１３及び下フレーム部１４を有しており、これら上下のフレーム部１３、１４は、上下の挟持部１１、１２の背面側の後端の軸着部Ｐ、Ｐで相互に軸着されている。
また、上下のフレーム部１３、１４の略中央部位には一方の手でこの本体部１０を把持できるようにそれぞれ上握り部１５及び下握り部１６が設けられている。【００１３】  本発明の使用者は、この上下の握り部１５、１６を一方の手で、例えば右利きなら左手で握り、両者の間に指を入れて、両者を離隔するように力を加えることにより上下の挟持部１１、１２が相互に離隔して、広がるように動作する。逆に上下の握り部１５、１６を手で握り締めることにより、上下の挟持部１１、１２が相互に接近して閉じ、その間に畳表の縁部を上下から挟持する（挟み付けて保持する）ことが出来ることとなる。
上挟持部１１の下面には肉厚の薄い軟質合成樹脂製の帯板１１ｊを貼着しており、これによって畳表が滑らず、確実に挟持することができる。
上挟持部１１及び下挟持部１２は、共にステンレス製の角型管体を使用しており、直線状で、長手方向が７０ｃｍ程度のものであり、上下挟持部１１、１２の手前側側面は一直線上に面一となっており、後に説明するカッター部３０の下部から下方に延長する刃部３１によって畳表が直線状に切断されうる。【００１４】  他方、カッター部３０は、これを他方の手で例えば右利きなら右手で保持することができる把持部３２と、スライド部３３と、刃部３１とから成り、スライド部３３を前記本体部１０の上挟持部１１の上面を摺動できるように構成している。刃部３１は、把持部３２から下方に延長するように設けられ、使用者は、カッター部３０の把持部３２を例えば右利きの使用者ならば右手で握り、スライド部３３を上挟持部１１の上面を図中左から右へ使用者の手前側から前方方向Ｄに移行させることにより、畳表の縁部を切断することができる。
以下、本体部１０及びカッター部３０につき順次詳細に説明を加える。【００１５】  図２は、本発明の本体部１０の斜視図であって、上下の挟持部１１、１２を閉じた状態を図示したものであり、図３は、同じく本発明の本体部１０の斜視図であって、上下の挟持部１１、１２を開いた状態を図示している。
上挟持部１１の両端部側から図面向こう側に延長フレーム１３ａ、１３ａが延長し、それぞれの延長フレーム１３ａ、１３ａの根元部には横フレーム１３ｂが架け渡されており、かかる横フレーム１３ｂの略中央部から上方に起立部１３ｃが形成され、かかる起立部１３ｃの上端部に後方に向かって略水平に上握り部１５が形成されている。延長フレーム１３ａ、１３ａと横フレーム１３ｂが上フレームを構成することとなる。【００１６】  また、下挟持部１２の両端部及び中央部から後方に延長フレーム１４ａ、１４ａ、１４ａが３本延長し、それぞれの先端は横フレーム１４ｂに接続している。かかる横フレーム１４ｂの略中央部から上方に起立部１４ｃが形成され、その上端部から前方に向かって略水平に下握り部１６が形成されている。延長フレーム１４ａ、１４ａと横フレーム１４ｂが下フレームを構成することとなる。
そして、上フレームの延長フレーム１３ａ、１３ａの後端部と下フレームの横フレーム１４ｂの両端部とが軸着部Ｐ、Ｐで回動自在に相互に取り付けられている。これにより上下の握り部１５、１６を片手で操作することにより、上下の挟持部１１、１２とが開閉するのである。【００１７】  即ち、右利きの者であれば、左手で上下の握り部１５、１６を握り、例えば人差し指を上下の握り部１５，１６の間に入れて両者を離隔するように操作すると、上挟持部１１と下挟持部１２とは離隔するように動作することとなる。逆に上下の握り部１５、１６を握って平行状態にすると上下の挟持部１１、１２とが閉鎖し、その間に畳表を挟持できることとなるのである。
上挟持部１１の下面には上述したとおり軟質合成樹脂製の薄い帯板１１ｊが貼着されているため、畳表を挟持した際に、滑ることが防止される。【００１８】  図４は、カッター部３０の斜視図であって、カッター部３０が前方に移行される前方側から見た状態のものである。
かかるカッター部３０は、一方の手で握って保持する（把持する）把持部３２の下面から下方に垂下する垂下部１４の下端を略水平に折曲してスライド部３３を形成し、スライド部３３の先端部にはガイド部３５を設け、更に垂下部３４には下方延長ガイド３６を設け、これら下方延長ガイド３６とガイド部３５とスライド部３３の下面（スライド面）によって形成される下向きコ字形状の部分が前記上挟持部１１の上面部を取り囲むように係合し又は適合し、上挟持部１１の上面部を前後方向に良好に摺動することができることとなる。【００１９】  垂下部３４と下方延長ガイド３６との間には刃部３１が挟持され、留めネジ３７によって締め付け固定される。この留めネジ３７を緩めることにより、刃部の下方延長長さを調節することが出来る。そしてこの実施形態では、刃部３１のブレード３１ａは、カッター部３０が畳表を切断する際の動作となる前方方向Ｄ側に向いていることが特徴となっている。
ここで、刃部３１は、逆に向けて、即ちブレード３１ａを反対側に向けて固定することも出来る。しかし、この場合は、以下図６で説明するブレードとスライド面前方とのなす角度が鋭角とならず、鈍角となってしまうこととなる。【００２０】  図５は、図１の左側面図であって、畳表を切断する状態を図示している。
この図により上フレームと下フレームの軸着状態を容易に見て取ることができる。以下この図を用いて右利きの使用者による本発明の使用方法について説明する。
まず最初に、カッター部３０は、上挟持部１１の上から取り除いておく。上下の握り部１５、１６を左手で握って本体部１０を保持する。次に、上下の握り部１５、１６の間に人差し指を入れて、両者を離隔させることができる。上下の握り部１５、１６を離隔させると、これに連接する延長フレーム１３ａが軸着部Ｐを中心として回動して上挟持部１１が下挟持部１２から離隔されて、両者が開いた状態となる。この開いた状態の上下の挟持部１１、１２の間に畳表Ｔの縁部を挿入する。その後上下の握り部１５、１６の間から人差し指を抜いて、両者を握り締めることによって畳表Ｔの縁部が挟持される。畳表Ｔの縁部を挟持した後、カッター部３０のスライド部３３を上挟持部１１の上面部に適合させ、或いは係合させて使用者の手前側から前方に向かって（紙面手前側から裏面側に向かって）カッター部３０を移行させることにより畳表Ｔの縁部が切断されるのである。これを繰り返すことによって、畳表Ｔの側縁部を所望の位置で良好に簡単に切断することができるのである。【００２１】  図６は、畳表Ｔを刃部が切断する状態を説明する説明図である。本発明では、畳表Ｔを切断する際の刃部３１のブレード３１ａの角度を従来の場合と異なった状態としている。
即ち、本発明においては、ブレード３１ａと上挟持部１１のスライド面１１ｓの前方側とのなす角度αを約６０度に設定している。これにより、ブレード３１ａが畳表Ｔを切断する際に、丁度、上挟持部１１の下面とブレード３１ａとが畳表Ｔを挟んだ状態（せん断状態）で切断することとなり、極めて良好に畳表Ｔが切断され、従来の切断定規のように、切断線が定規に良好に沿わず、離れて曲がってしまうという問題を完全に解消することができた。【００２２】  従来の場合は、ブレードと定規との角度αが９０度以上の鈍角となっていたため、切断された後の畳表が下方に垂れ下がってしまい、これによってこれから切断される部分もそれにつられて下方に引き寄せられるために、その問題が生じたが、本発明では切断直後の畳表はブレード３１ａによって下方から支持された状態となって、次の部分が切断されるためにこれから切断される部分が、切断された畳表に引っ張られないのである。このため良好に切断され、上下の挟持部から切断線が離れて曲がってしまうという問題が生じないのである。【００２３】  図７は、本発明の他の実施形態に係る本体部を図示する斜視説明図である。この実施形態においては、畳床Ｔｄの側縁部に当接しうる当接部２０を下挟持部１２から離隔し又は近接しうるように往復移動できるように構成したものである。
当接部２０は、ステンレス製のアングル材を使用しており、ガイド棒２１、２１を下挟持部１２に接続されている延長フレーム１４ａ内で出没できるように構成したものである。当接部２０は、畳床Ｔｄの端部上面に接合する載置面２０ａと畳床Ｔｄの端部端面と当接する当接面２０ｂとからなり、両面は直角に形成されている。
これによって、ガイド棒２１、２１を所定長さに延長して、延長フレーム１４ａの外側から留めネジ等（図示省略）により固定し、下挟持部１２の側面から一定の距離離隔した位置に当接部２０を固定でき、この当接部２０を畳床Ｔｄの側縁部の上面及び端面に当接させ、その畳床Ｔｄの上に配置した畳表Ｔを畳床Ｔｄから一定長さはみ出した状態で畳床側縁部から一定長さに切断できることとなる。これにより縁なし畳を製作する際の畳表の裁断を容易に行うことが出来るのである。【００２４】  以上、本発明の実施形態について説明したが、本発明においては以下の通り種々その形態を変更することが可能である。
本発明においては、上下の挟持部が開閉自在に構成されていれば、上下のフレーム部の構成は全く自由であって、延長フレーム、横フレーム等の設計は全く自由に行うことができる。上下の挟持部の長手方向の長さも自由に設定できる。大きさ及び形状も自由に設計することができる。
上挟持部下面に設けられた軟質合成樹脂の帯板は、これを設けずに実施することも可能であるが、畳表を滑らず良好に挟持できるために設けておく方が好ましい。【００２５】  上握り部と下握り部とは上下に１乃至２ｃｍ程度間隔を保持して形成することが好ましい。これにより両者を離隔させる際に手の指を容易に挿入して両者を離隔させることが出来るからである。
カッター部の構成も自由に設計変更可能であり、上述した通り、刃部を裏返して固定することもでき、即ちブレードを逆向きにして使用することも容易にでき、また、カッター部を使用者の前方から手前側に引くようにして裁断することも出来る。また把持部の形状もより手に馴染み易い形状にすることもできる。
また、スライド部下面等には特別な滑り構造を採用していないが、その下面或いはガイド部にローラ等を設けることも可能であるが、構造をより簡単にしてコストを低減させ、軽量とすること、スライド面をより滑らかに仕上げることにより容易にスライド性を向上させることができるため、不要である。
その他本発明においては、請求の範囲内において種々設計変更が可能である。
【図面の簡単な説明】
【００２６】
【図１】本発明に係る一実施形態の全体斜視図である。
【図２】本発明の本体部の斜視図であって、上下挟持部を閉じた状態を示している。
【図３】本発明の本体部の斜視図であって、上下挟持部を開いた状態を示している。
【図４】本発明のカッター部の斜視図である。
【図５】図１の左側面図であって、畳表を切断する状態を示している。
【図６】畳表を切断する状態の説明図である。
【図７】本発明の他の実施形態に係る本体部を示す斜視説明図である。
【符号の説明】
【００２７】１０…本体部、１１…上挟持部、１２…下挟持部、１３…上フレーム、１４…下フレーム、１５…上握り部、１６…下握り部、２０…当接部、３０…カッター部、３１…刃部、３１ａ…ブレード、３２…把持部、３３…スライド部、Ｐ…軸着部、Ｔ…畳表、Ｔｄ…畳床
【図１】
2006088312.tif 000003
【図２】
2006088312.tif 000004
【図３】
2006088312.tif 000005
【図４】
2006088312.tif 000006
【図５】
2006088312.tif 000007
【図６】
2006088312.tif 000008
【図７】
2006088312.tif 000009